(57)【要約】【課題】きわめて容易に頭髪（地毛）に装着することができる上、頭髪に装着していることを他の人に悟られにくい実用的なヘアエクステンションを提供する。【解決手段】ヘアエクステンション１は、ベース部材２、第一の毛髪の束Ｈ１、第二の毛髪の束Ｈ２、両面粘着テープ３、剥離紙４によって構成されている。そして、第一の毛髪の束Ｈ１が、略矩形の板状のベース部材２の内面の下方に、毛先を下方に突出させた状態で固着されているとともに、第二の毛髪の束Ｈ２が、ベース部材２の内面の上方に、毛先を上方に突出させた状態で固着されており、かつ、ベース部材２の上端縁で折り返されて毛先を下方に垂下させた状態になっている。【選択図】図２
2020105679.tif 000002
【特許請求の範囲】
【請求項１】
毛髪の束の基端に、その毛髪の束を地毛に装着するための粘着手段を設けたヘアエクステンションであって、
第一の毛髪の束が、略矩形の板状のベース部材の内面の下方に、毛先を下方に突出させた状態で固着されているとともに、
第二の毛髪の束が、前記ベース部材の内面の上方に、毛先を上方に突出させた状態で固着されており、かつ、ベース部材の上端縁で折り返されて毛先を下方に垂下させた状態になっていることを特徴とするヘアエクステンション。
【請求項２】
前記ベース部材が、前記第二の毛髪の束と同一色を有していることを特徴とする請求項１に記載のヘアエクステンション。
【請求項３】
前記ベース部材の内面が粘着性を有しており、前記第一の毛髪の束および前記第二の毛髪の束がベース部材の内面に粘着されていることを特徴とする請求項１、または請求項２に記載のヘアエクステンション。
【発明の詳細な説明】
【技術分野】
【０００１】
本発明は、頭髪にボリューム感を与える等の目的で地毛に装着するヘアエクステンション（付け毛）に関するものである。
【背景技術】
【０００２】
従来のヘアエクステンションとしては、付け足す毛髪の束の基端に金属製のチューブが付設されており、その金属製のチューブの内部に地毛を挿通させた状態でチューブを圧壊することによって地毛に装着するものが知られている。また、接着剤を含浸させた毛髪の束からなる筒状体の外側に熱収縮チューブが被覆されており、筒状体の内部に地毛を挿通させた状態で熱収縮チューブをアイロン等で加熱することにより、収縮したチューブと溶融させた接着剤とによって地毛に装着するものも開発されている（特許文献１）。
【０００３】
さらに、近年では、より短時間で簡便に頭髪に装着できるように、両面粘着テープを利用して地毛に粘着させるタイプのもの（すなわち、両面粘着テープの片面に毛髪を粘着させて両面粘着テープの他面を地毛に粘着させるもの）も開発されている（特許文献２）。
【先行技術文献】
【特許文献】
【０００４】
【特許文献１】特開２００８−２０２１９９号公報
【特許文献２】実用新案登録第３１９８８５２号公報
【発明の概要】
【発明が解決しようとする課題】
【０００５】
しかしながら、特許文献２の如き、両面粘着テープを利用して地毛に粘着させるタイプのヘアエクステンションは、非常に容易に頭髪（地毛）に装着することができるものの、粘着された毛髪の隙間から両面粘着テープが見えてしまうため、頭髪に装着されていることを他の人に瞬時に悟られてしまう、という不具合がある。また、粘着された毛髪の隙間から地毛が両面粘着テープに張り付いてしまう、という不具合もある。
【０００６】
本発明の目的は、上記従来のヘアエクステンションが有する問題点を解消し、きわめて容易に頭髪（地毛）に装着することができる上、頭髪に装着していることを他の人に悟られにくい実用的なヘアエクステンションを提供することにある。
【課題を解決するための手段】
【０００７】
本発明の内、請求項１に記載された発明は、毛髪の束の基端に、その毛髪の束を地毛に装着するための粘着手段を設けたヘアエクステンションであって、第一の毛髪の束が、略矩形の板状のベース部材の内面の下方に、毛先を下方に突出させた状態で固着されているとともに、第二の毛髪の束が、前記ベース部材の内面の上方に、毛先を上方に突出させた状態で固着されており、かつ、ベース部材の上端縁で折り返されて毛先を下方に垂下させた状態になっていることを特徴とするものである。
【０００８】
請求項２に記載された発明は、請求項１に記載された発明において、前記ベース部材が、前記第二の毛髪の束と同一色を有していることを特徴とするものである。
【０００９】
請求項３に記載された発明は、請求項１、または請求項２に記載された発明において、前記ベース部材の内面が粘着性を有しており、前記第一の毛髪の束および前記第二の毛髪の束がベース部材の内面に粘着されていることを特徴とするものである。
【発明の効果】
【００１０】
請求項１に記載のヘアエクステンションは、粘着手段を利用して非常に短時間の内にきわめて容易に頭髪に装着することができる上、第二の毛髪の束がベース部材とともに両面粘着テープを外側から覆った構造であり、両面粘着テープが外から見えにくいので、装着していることを他の人に悟られにくい。また、従来のヘアエクステンションのように、粘着された毛髪の隙間から地毛が両面粘着テープに張り付いてしまう、という事態がまったく生じない。
【００１１】
請求項２に記載のヘアエクステンションは、ベース部材が第二の毛髪の束と同一色を有しており、両面粘着テープが外部からきわめて認識しにくくなっているため、装着していることを、より他の人に悟られにくい。
【００１２】
請求項３に記載のヘアエクステンションは、ベース部材の内面に第一の毛髪の束および第二の毛髪の束を粘着させて、その内側（地毛の装着側）に粘着手段を取り付けるだけで、きわめて容易に製造することができる。
【図面の簡単な説明】
【００１３】
【図１】ヘアエクステンションの外観を示す説明図である（ａは正面図であり、ｂは背面図である）。
【図２】ヘアエクステンションの外観を示す説明図（側面図）である（ａは組み付けられた状態を示したものであり、ｂは分解した状態を示したものである）。
【図３】ヘアエクステンションの製造方法を示す説明図（正面図）である。
【図４】ヘアエクステンションを頭髪（地毛）に装着する様子を示す説明図（側面図）である（ａは装着前の状態であり、ｂは剥離紙を剥がした状態を示したものであり、ｃは地毛に粘着させた状態を示したものである）。
【図５】ヘアエクステンションを頭髪（地毛）に装着した状態を示す説明図（頭髪を上方から見た図）である。
【発明を実施するための形態】
【００１４】
以下、本発明に係るヘアエクステンションの一実施形態について、図面に基づいて詳細に説明する。
【００１５】
＜ヘアエクステンションの構造＞
図１、図２は、それぞれ、本発明に係るヘアエクステンションの外観、ヘアエクステンションを頭髪（地毛）に装着する様子を示したものであり、ヘアエクステンション１は、ベース部材２、第一の毛髪の束（集合体）Ｈ１、第二の毛髪の束（集合体）Ｈ２、両面粘着テープ３、剥離紙（離型紙）４によって構成されている。
【００１６】
ベース部材２は、黒色に着色した合成樹脂（ポリエステル樹脂）製の厚さ約１．０ｍｍのシートによって、幅約７．０ｍｍ×高さ約６．０ｍｍの矩形状に形成されており、内面（地毛への装着側の面、図２における右側の面）および外面（地毛への装着側と反対側の面、図２における左側の面）には、それぞれ、粘性を有する合成樹脂（アクリル系樹脂）製の粘着剤が積層されている。また、外面には、エッチング処理によってシボ加工（粗面化加工）が施されている。
【００１７】
そして、当該ベース部材２の内面の中央よりやや下側には、第一の毛髪の束Ｈ１が、下方に突出するように粘着されている。なお、第一の毛髪の束Ｈ１を構成する各毛髪ｈ，ｈ・・は、基端をベース部材２の下端縁から約２．５ｍｍだけ上側に位置させて、基端部分を概ね平行に配置させた状態になっている。
【００１８】
さらに、当該ベース部材２の内面の中央よりやや上側には、第二の毛髪の束Ｈ２が、上方に突出するように粘着されている。なお、第二の毛髪の束Ｈ２を構成する各毛髪ｈ，ｈ・・は、基端をベース部材２の上端縁から約２．５ｍｍだけ下側に位置させて、基端部分を概ね平行に配置させた状態になっている。そのため、第一の毛髪の束Ｈ１を構成する各毛髪ｈ，ｈ・・の基端と、第二の毛髪の束Ｈ２を構成する各毛髪ｈ，ｈ・・の基端との間には、約１．０ｍｍの隙間が形成された状態になっている。また、当該ベース部材２の内面に粘着された第二の毛髪の束Ｈ２を構成する各毛髪ｈ，ｈ・・は、ベース部材２の上端縁で折り返されて、毛先側を下方に垂下させて、折り返し際の部分がベース部材２の外面に貼り付けられた（粘着した）状態になっている。
【００１９】
さらに、上記の如くベース部材２の内面に粘着された第一の毛髪の束Ｈ１および第二の毛髪の束Ｈ２の外側には、両面粘着テープ３が粘着されている。当該両面粘着テープ３は厚さ約５０μｍの合成樹脂（ポリエステル）製のフィルムの両面に、粘性を有する合成樹脂（アクリル系樹脂）製の粘着剤を積層させたものであり、ベース部材２と同じ大きさ（幅約７．０ｍｍ×高さ約６．０ｍｍの矩形状）に裁断されている。そして、その両面粘着テープ３の内側（地毛への装着側、図２における右側）には、両面粘着テープ３と同じ大きさの剥離紙（離型紙）４が粘着した状態になっている。
【００２０】
＜ヘアエクステンションの製造方法＞
図３は、上記の如く構成されるヘアエクステンション１の製造方法の一例を示したものである。ヘアエクステンション１を製造する際には、まず、第一の毛髪の束Ｈ１および第二の毛髪の束Ｈ２を、ベース部材２ａの長手方向に対して直交するように、かつ、第一の毛髪の束Ｈ１の直線状に揃えられた端縁と、第二の毛髪の束Ｈ２の直線状に揃えられた端縁とが、所定の間隔（約１．０ｍｍ）を空けて平行に対峙するように載置する。なお、第一の毛髪の束Ｈ１および第二の毛髪の束Ｈ２は、フラットに配置されるように、直交状に配置された仕分け糸（１本あるいは複数本の糸）Ｎに対して略一定の本数ずつ上下に仕分けられた状態になっている。そして、そのように上下に配置された第一の毛髪の束Ｈ１の端縁際の部分および第二の毛髪の束Ｈ２の端縁際の部分の上面に、ベース部材２ａ（内面および外面が粘性になっているもの）を直交するように貼り合わせる（図３（ａ））。
【００２１】
次に、そのようにベース部材２ａに貼り付けられた第一の毛髪の束Ｈ１および第二の毛髪の束Ｈ２を反転させ（裏返し）、第一の毛髪の束Ｈ１の端縁際の部分および第二の毛髪の束Ｈ２の端縁際の部分の上面に、両面粘着テープ３を直交するように貼り合わせる（図３（ｂ））。さらに、第一の毛髪の束Ｈ１および第二の毛髪の束Ｈ２から仕分け糸Ｎを取り除いた後に、ベース部材２ａおよび両面粘着テープ３に貼り付けられた第一の毛髪の束Ｈ１および第二の毛髪の束Ｈ２を再度反転させた（裏返した）後に、第二の毛髪の束Ｈ２を、ベース部材２ａ  の上端縁際で下方に折り返し、その折り返し際の部分をベース部材２ａの外面に貼り付ける（図３（ｃ））。
【００２２】
しかる後、ベース部材２ａおよび両面粘着テープ３に貼り付けられた第一の毛髪の束Ｈ１および第二の毛髪の束Ｈ２をもう一度反転させ（裏返し）、第一の毛髪の束Ｈ１の端縁際の部分および第二の毛髪の束Ｈ２の端縁際の部分の外側に位置した両面粘着テープ３の外面に剥離紙（離型紙）４を貼り合わせる（図３（ｄ））。そして、第一の毛髪の束Ｈ１および第二の毛髪の束Ｈ２の外側にはみ出ているベース部材２ａおよび両面粘着テープ３を裁断することによって、ヘアエクステンション１の製造を完了する。
【００２３】
＜ヘアエクステンションの使用方法＞
図４、図５は、ヘアエクステンション１を頭髪（地毛）に装着する方法を示したものであり、ヘアエクステンション１を頭髪に装着する場合には、地毛の内の表層にあるもの（頭頂付近から生えているもの）を上方に持ち上げる等することによって、地毛の内の内部にあるもの（頭部の中間の高さ位置から生えているもの）を露呈させる。そして、図４（ｂ）の如く、ヘアエクステンション１の剥離紙４を剥がして両面粘着テープ３を露出させる。しかる後、図４（ｃ）の如く、その両面粘着テープ３の粘着面を、地毛の束（内部にある地毛の束）Ｇに粘着させることによって、ヘアエクステンション１を装着する。そして、所望する個数のヘアエクステンション１，１・・を、頭髪の略同一の高さ位置に置いて横方向（幅方向）に沿って等間隔に、上記した方法で地毛の束Ｇに粘着させる（図５参照）。しかる後。持ち上げた状態になっている地毛の内の表層にあるものを元通りに垂下させる。
【００２４】
上記の如く地毛に装着されたヘアエクステンション１においては、地毛と同色（黒色）のベース部材２が両面粘着テープ３の外側（被装着体である地毛と反対側）に位置しているとともに、そのベース部材２を第二の毛髪の束Ｈ２の毛髪ｈ，ｈ・・が外側から覆っているため、外部からは両面粘着テープ３がほとんど見えない状態となる。したがって、他の人は、ヘアエクステンション１，１・・が頭髪に装着されていることをまったく認識することができない。
【００２５】
＜ヘアエクステンションの効果＞
ヘアエクステンション１は、上記の如く、第一の毛髪の束Ｈ１が、略矩形の板状のベース部材２の内面の下方に、毛先を下方に突出させた状態で固着されているとともに、第二の毛髪の束Ｈ２が、ベース部材２の内面の上方に、毛先を上方に突出させた状態で固着されており、かつ、ベース部材２の上端縁で折り返されて毛先を下方に垂下させた状態になっている。したがって、ヘアエクステンション１は、粘着手段である両面粘着テープ３を利用して非常に短時間の内にきわめて容易に頭髪に装着することができる上、第二の毛髪の束Ｈ２がベース部材２とともに両面粘着テープ３を外側から覆っているため、両面粘着テープ３が外から見えにくいので、装着していることを他の人に悟られにくい。また、従来のヘアエクステンションのように、粘着された毛髪の隙間から地毛が両面粘着テープ３に張り付いてしまう、という事態が生じない。
【００２６】
また、ヘアエクステンション１は、ベース部材２が第二の毛髪の束Ｈ２と同一色（黒色）を有しており、両面粘着テープ３が外部からきわめて認識しにくくなっているため、装着していることを、より他の人に悟られにくい。
【００２７】
さらに、ヘアエクステンション１は、ベース部材２の内側の粘着面に第一の毛髪の束Ｈ１および第二の毛髪の束Ｈ２を粘着させた構造であるため、製造時には、ベース部材２の内面に第一の毛髪の束Ｈ１および第二の毛髪の束Ｈ２を粘着させて、その内側（地毛の装着側）に両面粘着テープ３を取り付けるだけで、きわめて容易に製造することができる。
【００２８】
＜ヘアエクステンションの変更例＞
本発明に係るヘアエクステンションは、上記実施形態の如く、ベース部材が黒色であるものに限定されず、ベース部材が黒以外の色に着色されたものや着色されていないものでも良い。たとえば、本発明に係るヘアエクステンションを、茶色や金色の地毛に装着するものとする場合には、それらの地毛の色に合わせて、第一の毛髪の束Ｈ１、第二の毛髪の束Ｈ２およびベース部材が茶色や金色であるものにすることも可能である。
【００２９】
また、本発明に係るヘアエクステンションは、上記実施形態の如く、両面粘着テープの基材が合成樹脂フィルムであるものに限定されず、両面粘着テープの基材が紙であるもの等に変更することも可能である。なお、上記実施形態の如く、両面粘着テープの基材が合成樹脂フィルムであるものとした場合には、装着した状態で洗髪した場合に両面粘着テープが破れにくい、というメリットがある。
【００３０】
さらに、本発明に係るヘアエクステンションは、上記実施形態の如く、ベース部材の粘着剤および両面粘着テープの粘着剤がアクリル系樹脂からなる粘着剤であるものに限定されず、ゴム系の粘着剤、シリコーン系樹脂からなる粘着剤等のアクリル系樹脂以外の樹脂からなる粘着剤であるものに変更することも可能である。なお、上記実施形態の如く、ベース部材の粘着剤および両面粘着テープの粘着剤をアクリル系樹脂からなる粘着剤とした場合には、装着した状態で界面活性剤（シャンプー等）を用いて洗髪しても粘着力が落ちにくい（すなわち、第一の毛髪の束、第二の毛髪の束が取れにくく、地毛から剥がれにくい）、というメリットがある。
【００３１】
加えて、複数のヘアエクステンションの装着態様も、上記実施形態の如く、頭髪の略同一の高さ位置に置いて横方向（幅方向）に沿って等間隔に装着する態様に限定されず、地毛のボリュームや所望するヘアスタイルに合わせて適宜変更することができる。
【００３２】
一方、本発明に係るヘアエクステンションの製造方法は、上記実施形態の如く、第一の毛髪の束および第二の毛髪の束にベース部材を貼り付けた後に両面粘着テープを貼り付けるものに限定されず、第一の毛髪の束および第二の毛髪の束に両面粘着テープを貼り付けた後にベース部材を貼り付けるもの等に変更することも可能である。加えて、本発明に係るヘアエクステンションの製造方法は、上記実施形態の如く、長尺なベース部材や両面粘着テープに第一の毛髪の束および第二の毛髪の束を貼り付けるものに限定されず、予め必要な長さに裁断したベース部材および／または両面粘着テープに第一の毛髪の束および第二の毛髪の束を貼り付けるもの等に変更することも可能である。
【産業上の利用可能性】
【００３３】
本発明のヘアエクステンションは、上記の如く優れた効果を奏するものであるから、地毛のボリュームをアップするための部材として好適に用いることができる。
【符号の説明】
【００３４】
１・・    ヘアエクステンション
２・・    ベース部材
３・・    両面粘着テープ（粘着手段）
４・・    剥離紙（離型紙）
Ｈ１・・第一の毛髪の束（集合体）
Ｈ２・・第二の毛髪の束（集合体）
ｈ・・毛髪
【図１】
2020105679.tif 000003
【図２】
2020105679.tif 000004
【図３】
2020105679.tif 000005
【図４】
2020105679.tif 000006
【図５】
2020105679.tif 000007
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
毛髪の束の基端に、その毛髪の束を地毛に装着するための粘着手段を設けたヘアエクステンションであって、
第一の毛髪の束が、略矩形の板状のベース部材の内面の下方に、毛先を下方に突出させ、かつ、基端部分をベース部材の下端縁と平行に配置させた状態で固着されているとともに、
第二の毛髪の束が、前記ベース部材の内面の上方に、毛先を上方に突出させ、かつ、基端部分をベース部材の上端縁と平行に配置させた状態で固着されており、かつ、ベース部材の上端縁で折り返されて毛先を下方に垂下させた状態になっていることを特徴とするヘアエクステンション。
【請求項２】
前記ベース部材が、前記第二の毛髪の束と同一色を有していることを特徴とする請求項１に記載のヘアエクステンション。
【請求項３】
前記ベース部材の内面が粘着性を有しており、前記第一の毛髪の束および前記第二の毛髪の束がベース部材の内面に粘着されていることを特徴とする請求項１、または請求項２に記載のヘアエクステンション。
【手続補正２】
【補正対象書類名】明細書
【補正対象項目名】０００７
【補正方法】変更
【補正の内容】
【０００７】
本発明の内、請求項１に記載された発明は、毛髪の束の基端に、その毛髪の束を地毛に装着するための粘着手段を設けたヘアエクステンションであって、第一の毛髪の束が、略矩形の板状のベース部材の内面の下方に、毛先を下方に突出させ、かつ、基端部分をベース部材の下端縁と平行に配置させた状態で固着されているとともに、第二の毛髪の束が、前記ベース部材の内面の上方に、毛先を上方に突出させ、かつ、基端部分をベース部材の上端縁と平行に配置させた状態で固着されており、かつ、ベース部材の上端縁で折り返されて毛先を下方に垂下させた状態になっていることを特徴とするものである。